(57)【特許請求の範囲】
【請求項１】
利用者の健康管理を支援する健康管理支援装置であって、
あらかじめ決定された生活習慣に関する所定期間における努力目標の目標値と、前記努力目標に関連のある生体情報についての目標値を格納する目標値格納手段と、
前記所定期間における前記努力目標の実行度合いに応じて、前記努力目標の目標値を修正するための修正関数をあらかじめ保持する修正関数保持手段と、
前記所定期間経過後における前記利用者の前記生体情報の計測値の入力を受け付ける計測値入力手段と、
前記所定期間における前記努力目標の実行度合いに関する前記利用者の自己評価である回答値の入力を受け付ける回答入力手段と、
前記計測値入力手段から入力された前記生体情報の計測値と、前記目標値格納手段から読み出した前記生体情報の目標値とを、あらかじめ定められた関数を用いて演算することによって、前記生体情報の目標値に対する達成度合いを算出し、前記回答入力手段から入力された前記回答値と、算出した前記達成度合いとを、あらかじめ定められた関数を用いて演算することによって補正係数を算出し、算出した前記補正係数を用いて前記回答値を補正する回答補正手段と、
補正された前記回答値を前記所定期間における前記努力目標の実行度合いとし、前記修正関数保持手段から読み出した前記修正関数を用いて、前記所定期間における前記努力目標の目標値を修正する目標値修正手段と、
修正された前記所定期間における前記努力目標の目標値を、前記所定期間の次の期間に実行すべき努力目標の目標値と決定し、前記目標値格納手段に格納されている前記所定期間における前記努力目標の前記目標値を、決定した前記目標値に更新する目標値決定手段と、
前記利用者が前記所定期間の次の期間に実行すべき努力目標の目標値として、更新された前記目標値を記録した生活習慣目標値票を作成する出力手段と
を備える健康管理支援装置。
【請求項２】
前記健康管理支援装置は、さらに、
前記補正係数または補正後の前記回答値を表示する表示手段
を備える請求項１記載の健康管理支援装置。
【請求項３】
前記健康管理支援装置は、さらに、
前記所定期間開始前に、前記生体情報の目標値の入力を受け付ける目標値入力手段を備
え、
前記回答補正手段は、前記生体情報の前記計測値と、前記生体情報の前記目標値との比に基づいて前記生体情報の目標の前記達成度合いを示す達成係数αを算出する
請求項２記載の健康管理支援装置。
【請求項４】
前記回答補正手段は、さらに、
算出された前記達成係数αから、前記補正係数βを算出する補正係数算出部と、
前記回答値を、算出された補正係数βを用いて補正する回答値補正部とを備える
請求項３記載の健康管理支援装置。
【請求項５】
前記健康管理支援装置は、さらに、
前記所定期間開始前に、前記生体情報の目標値の入力を受け付ける目標値入力手段を備え、
前記目標値決定手段は、補正された前記回答値に基づいて、前記生活習慣に関する努力目標の目標値を決定する代わりに、前記所定期間の次の期間の目標となる生体情報の目標値を前記所定期間終了後に決定する
請求項１記載の健康管理支援装置。
【請求項６】
前記健康管理支援装置は、さらに、
前記所定期間における前記努力目標が複数ある場合、前記所定期間における前記複数の努力目標の目標値と、前記複数の努力目標のうちのいずれかの努力目標と最も関連のある生体情報についての目標値の入力を受け付ける目標値入力手段と、
前記計測値入力手段は、前記生体情報についての目標値の入力が受け付けられた前記生体情報の計測値の入力を受け付け、
前記回答入力手段は、前記所定期間における前記複数の努力目標の実行度合いのそれぞれについて、回答値の入力を前記期間終了後に受け付け、
前記回答補正手段は、前記複数の努力目標に対応する前記生体情報の計測値と、前記目標値格納手段から読み出した前記生体情報の目標値とを、それぞれあらかじめ定められた関数を用いて演算することによって、各前記生体情報の目標値に対する達成度合いを算出し、前記回答入力手段から入力された各前記回答値と、算出した前記達成度合いとの各組を、それぞれあらかじめ定められた関数を用いて演算することによって前記回答値ごとの補正係数を算出し、算出した前記補正係数を用いて各前記回答値を補正し、
前記目標値修正手段は、補正された各前記回答値を前記所定期間における各前記努力目標の実行度合いとし、前記修正関数保持手段から読み出した前記修正関数を用いて、前記所定期間における各前記努力目標の目標値を修正し、
前記目標値決定手段は、修正された前記所定期間における前記複数の努力目標の目標値を前記所定期間の次の期間に実行すべき複数の努力目標の目標値と決定し、前記目標値格納手段に格納されている前記所定期間における各前記努力目標の目標値を、決定した各前記目標値に更新し、
前記出力手段は、前記利用者が前記所定期間の次の期間に実行すべき複数の努力目標のそれぞれの目標値として、更新された各前記目標値を記録した生活習慣目標値票を作成する
請求項１記載の健康管理支援装置。
【請求項７】
前記回答補正手段は、前記所定期間の開始時に入力された前記生体情報の目標値ｔに対する、前記所定期間終了後に入力された前記生体情報の前記計測値ｓでの前記達成度合いを示す達成係数αを数式１で示した関数により算出し、算出された達成係数αを用いて、前記回答値を補正する
α＝ｋ・（ｔ／ｓ）    ：ただし、ｋ＞０          ・・・（数式１）
請求項６記載の健康管理支援装置。
【請求項８】
前記回答補正手段は、さらに、
前記複数の努力目標の実行度合いについての回答値ｓｘ（ｘは１〜ｎまでの自然数）のうち、前記達成係数αが算出された前記生体情報と関連する努力目標の実行度合いについての回答値ｓｘと前記達成係数αとから、数式２で示した関数により、前記補正係数βを算出する補正係数算出部と、
算出された前記補正係数βに基づいて、前記各回答値ｓｘを補正する回答値補正部とを備える
β＝ｌ・（ｓｘ／ｄ）    ：ただし、ｌ＞０        ・・・（数式２）
請求項７記載の健康管理支援装置。
【請求項９】
前記回答補正部は、数式３で示す関数を用いて、
前記補正係数βに基づいて、前記各回答値ｓｘ（ｘは１〜ｎまでの自然数）を補正する
γｘ＝ｓｘ／β        ・・・（数式３）
請求項８記載の健康管理支援装置。
【請求項１０】
前記目標値決定手段は、
補正後の実行度合いγｘ（ｘは１〜ｎまでの自然数）と、前記所定期間の開始時に入力された生活習慣の努力目標の前記目標値ｔｘ（ｘは１〜ｎまでの自然数）とから、数式４で示した関数Ｊｘにより、前記各目標値ｔｘをＴｘ（ｘは１〜ｎまでの自然数）に修正し、
修正された前記各目標値Ｔｘ（ｘは１〜ｎまでの自然数）を、前記所定期間の次の期間に実行すべき生活習慣に関する努力目標の目標値と決定する
Ｔｘ＝Ｊｘ（ｔｘ、γｘ）・・・（数式４）
請求項９記載の健康管理支援装置。
【請求項１１】
人体の生体情報を計測する生体情報計測機と利用者の健康管理を支援する健康管理支援装置とを備える健康管理支援システムであって、
前記生体情報計測機は、
利用者の生体情報を計測する計測手段と、
前記計測手段により計測された計測値を前記健康管理支援装置に送信する送信手段とを備え、
前記健康管理支援装置は、
あらかじめ決定された生活習慣に関する所定期間における努力目標の目標値と、前記努力目標に関連のある生体情報についての目標値を格納する目標値格納手段と、
前記所定期間における前記努力目標の実行度合いに応じて、前記努力目標の目標値を修正するための修正関数をあらかじめ保持する修正関数保持手段と、
前記生体情報計測機から前記所定期間経過後における前記利用者の前記生体情報の前記計測値を受信する計測値受信手段と、
前記所定期間における前記努力目標の実行度合いに関する前記利用者の自己評価である回答値の入力を受け付ける回答入力手段と、
前記計測値受信手段で受信された前記生体情報の計測値と、前記目標値格納手段から読み出した前記生体情報の目標値とを、あらかじめ定められた関数を用いて演算することによって、前記生体情報の目標値に対する達成度合いを算出し、前記回答入力手段から入力された前記回答値と、算出した前記達成度合いとを、あらかじめ定められた関数を用いて演算することによって補正係数を算出し、算出した前記補正係数を用いて前記回答値を補正する回答補正手段と、
補正された前記回答値を前記所定期間における前記努力目標の実行度合いとし、前記修正関数保持手段から読み出した前記修正関数を用いて、前記所定期間における前記努力目標の目標値を修正する目標値修正手段と、
修正された前記所定期間における前記努力目標の目標値を、前記所定期間の次の期間に実行すべき努力目標の目標値と決定し、前記目標値格納手段に格納されている前記所定期間における前記努力目標の目標値を、決定した前記目標値に更新する目標値決定手段と、
前記利用者が前記所定期間の次の期間に実行すべき努力目標の目標値として、更新された前記目標値を記録した生活習慣目標値票を作成する出力手段と
を備える健康管理支援システム。
【請求項１２】
利用者の健康管理を支援する健康管理支援装置による健康管理支援方法であって、
前記健康管理支援装置は、
あらかじめ決定された生活習慣に関する所定期間における努力目標の目標値と、前記努力目標に関連のある生体情報についての目標値を格納する目標値格納手段と、
前記所定期間における前記努力目標の実行度合いに応じて、前記努力目標の目標値を修正するための修正関数をあらかじめ保持する修正関数保持手段とを備え、
前記健康管理支援方法は、
前記健康管理支援装置が、前記所定期間経過後における前記利用者の前記生体情報の計測値の入力を受け付ける計測値入力ステップと、
前記健康管理支援装置が、前記所定期間における前記努力目標の実行度合いに関する前記利用者の自己評価である回答値の入力を受け付ける回答値入力ステップと、
前記健康管理支援装置が、前記計測値入力手段から入力された前記生体情報の計測値と、前記目標値格納手段から読み出した前記生体情報の目標値とを、あらかじめ定められた関数を用いて演算することによって、前記生体情報の目標値に対する達成度合いを算出し、前記回答入力手段から入力された前記回答値と、算出した前記達成度合いとを、あらかじめ定められた関数を用いて演算することによって補正係数を算出し、算出した前記補正係数を用いて前記回答値を補正する回答補正ステップと、
前記健康管理支援装置が、補正された前記回答値を前記所定期間における前記努力目標の実行度合いとし、前記修正関数保持手段から読み出した前記修正関数を用いて、前記所定期間における前記努力目標の目標値を修正する目標値修正ステップと、
前記健康管理支援装置が、修正された前記所定期間における前記努力目標の目標値を、前記所定期間の次の期間に実行すべき努力目標の目標値と決定し、前記目標値格納手段に格納されている前記所定期間における前記努力目標の目標値を、決定した前記目標値に更新する目標値決定ステップと、
前記健康管理支援装置が、前記利用者が前記所定期間の次の期間に実行すべき努力目標の目標値として、更新された前記目標値を記録した生活習慣目標値票を作成する出力ステップと
を含む健康管理支援方法。
【請求項１３】
前記健康管理支援方法は、さらに、
表示手段が、前記補正係数または補正後の前記回答値を表示する表示ステップ
を含む請求項１２記載の健康管理支援方法。
【請求項１４】
利用者の健康管理を支援する健康管理支援装置が有するコンピュータのためのプログラムであって、
前記健康管理支援装置は、
あらかじめ決定された生活習慣に関する所定期間における努力目標の目標値と、前記努力目標に関連のある生体情報についての目標値を格納する目標値格納手段と、
前記所定期間における前記努力目標の実行度合いに応じて、前記努力目標の目標値を修正するための修正関数をあらかじめ保持する修正関数保持手段とを備え、
前記コンピュータに、請求項１２記載の各ステップを実行させるプログラム。
【発明の詳細な説明】
【技術分野】
【０００１】
本発明は、健康管理が必要な利用者の生体情報の計測値と、利用者が自己の生活習慣改善の目標をどれだけ達成したかに対する回答とにより、利用者の生活習慣改善のための目標値を適切に設定および修正する健康管理支援装置に関する。
【背景技術】
【０００２】
従来の健康管理支援装置としては、生活習慣の改善を目的として、利用者の回答内容より、生活習慣改善の定着度を算出するものがあった（例えば、特許文献１参照）。図１は、特許文献１に記載された従来の健康管理支援装置の一部を示す図である。利用者は、マークシート４に問診データを記入して、入力部１から健康管理支援装置に入力する。データ処理部２では、入力された問診データを基に、利用者の生活習慣の改善がどの程度、定着したかを示す定着レベルを算出し、出力部３に出力することにより利用者に提示するようになっている。
【特許文献１】特開２０００−３７３５４号公報
【発明の開示】
【発明が解決しようとする課題】
【０００３】
しかしながら、利用者の回答に基づいて利用者の生活習慣改善を支援する健康管理支援装置においては、回答内容が利用者の実際の行動とそれに対する回答とのずれを示す回答傾向に影響されるという課題が有る。実際、健康・栄養ニュース  第３巻３号（通巻１０号Ｐ７  独立行政法人国立健康・栄養研究所 ２００４年１２月発行）や産政研フォーラム「肥満について考える」（６１ 号.２００４年２月）に掲載されているように、健康診断の受診者が申告する健康管理が実行されているならば当然に計測されるはずの値と、実測値とは異なることが多い。また、糖尿病診療マスター(医学書院  Ｖｏｌ．２  Ｎｏ２ ２００４年３月 Ｐ２３０)に掲載されているように、患者自身の行動とその行動に対する認識または評価は、実際の行動に対する第三者の認識または評価とずれている場合もある。
【０００４】
特に、生活習慣に関する回答内容は、過去１ヶ月間の、食事、運度、嗜好品の摂取状況などを、思い出して回答する場合が多いので、個人の行動に対する回答傾向の影響を受けやすい。この理由を以下に述べる。
【０００５】
生活習慣の改善が必要な利用者の場合、予め生活習慣の改善目標値を設定し、この目標値に向けて生活改善に努める。ここで、この目標値が、本人にとって実行が不可能（目標値が高すぎる）であるならば、本人は、実行意欲を喪失し、生活改善できない。一方、この目標値が、本人によって実行可能（目標値が適切）であれば、実行意欲が湧くとともに、実行意欲が継続し、生活改善もうまくいく。その結果、健康維持および向上を実現することができる。従って、この目標値の設定が生活改善において、重要であるといえる。
【０００６】
まず、この目標値は、利用者の現在の健康状態と生活実態に基づいて設定する。生活実態は、利用者自身の回答に基づいて把握するが、自由記述形式で回答すると、個人によって表現や詳細さが異なり把握が困難なため、食事、運動等の項目に分類して、できるだけ具体的項目に対して回答する形式をとる。ただし、この場合でも、定量的に把握することが困難なため、生活実態例を提示し、この例に対する自身の実行度合いを数値で回答すると定量化に効果的である。
【０００７】
さらに、利用者自身が合意した上で設定した目標値に対する実行度合いを回答する方式にすると、利用者の目標値の意義に対する理解が深く、実行意欲が高くなる。同時に、食事、運動等の各項目に対する理解度が十分なため、いいかげんな内容を回答することが無く、生活実態を把握しやすくなる。
【０００８】
しかし、回答された数値は、利用者の回答傾向に影響され、回答傾向の個人差による偏りが生じるのが一般的である。例えば、行動科学からみた健康と病気(メディカルフレンド社 Ｐ２５〜２８)に掲載されているような「イイコ行動特性」を示す人の場合について説明する。イイコ行動特性を示す利用者は、当該利用者を指導監督する立場にある医師などの期待に沿いたいとの気持ちが強く、当該医師に指導された項目に対しては、実行度合いを高く認識し、数値を高く回答する傾向がある。即ち、同じ生活実態であっても、イイコ行動特性が強い利用者ほど、目標値に対する実行度合いを高く回答し、イイコ行動特性が弱い利用者ほど自身の実行度合いを低く認識する傾向がある。このように、回答傾向の違いによって実行度合いを示す回答内容が偏ると、次回に設定する目標値も偏り、効果が期待できなくなるという問題がある。
【０００９】
以上の様に、利用者の生活習慣に関する努力目標の目標値に対する実行度合いを質問し、利用者本人の回答内容のみから、利用者の実行度合いを把握しようとすると、利用者の回答傾向の違いによって実行度合いを示す回答内容が偏ってしまう。即ち、実際以上の実行度合いが回答され、その程度が利用者によって異なる。その結果、次回に設定する目標値が不適切な値となり、本来の効果を期待できなくなってしまう。
【００１０】
本発明の目的は、上述の課題を解決するためになされたものであって、利用者の生体情報の計測値を用いて、生活習慣に関する回答内容を補正することで、利用者の回答傾向から受ける影響を低減することができる健康管理支援装置を提供することである。
【課題を解決するための手段】
【００１１】
本発明に係る健康管理支援装置は、利用者の健康管理を支援する健康管理支援装置であって、利用者の生体情報の計測値の入力を受け付ける計測値入力手段と、前記生体情報と関連する生活習慣に関する努力目標の実行度合いの自己評価である利用者の回答値の入力を受け付ける回答入力手段と、前記回答値と、前記生体情報の前記計測値から求められる前記生体情報の目標の達成度合いとの乖離度合いに応じて、前記回答値を補正する回答補正手段とを備える。
【００１２】
なお、本発明は、上記のような健康管理支援装置単体として実現することができるだけでなく、健康管理支援装置と外部の生体情報計測機などとからなる健康管理支援システムとして実現したり、上記健康管理支援装置および健康管理支援システムが備える一部または全部の処理部をコンピュータに機能させるプログラムとして実現したりすることもできる。そして、そのようなプログラムは、ＣＤ−ＲＯＭ等の記録媒体やインターネット等の伝送媒体を介して広く流通させることもできるのは言うまでもない。
【発明の効果】
【００１３】
本発明の健康管理支援装置によれば、生活習慣改善の実行度合いを問う回答に及ぼされる利用者の回答傾向の影響を抑制し、利用者の実際の生活習慣をより正しく反映させた回答内容を得ることができるので、実用上極めて有効である。
【発明を実施するための最良の形態】
【００１４】
（実施の形態１）
図２は、本発明の実施の形態１の健康管理支援装置６００の構成を示す図である。
【００１５】
図２において、健康管理支援装置６００は、一定期間における利用者の生活改善を目的として生活習慣に関する項目の目標値および生体データの目標値を設定し、その期間経過後に、生体データの計測値および目標値の達成度の自己評価の入力を受け付けて、次の期間の新たな生活目標となる目標値を算出する健康管理支援装置であって、目標値入力部６０１、目標値記録部６０２、計測値入力部６０３、回答票入力部６０４、達成係数α(Ｎ)算出部６０５、補正係数β(Ｎ)算出部６０６、補正後実行度合いγｘ(Ｎ)算出部６０７、修正目標値ｔｘ(Ｎ＋１)算出部６０８、修正目標値 ｔｘ(Ｎ＋１)検証部６０９、修正目標値リスト記録部６１０、目標値更新部６１１および補正係数β（Ｎ）表示部６１２を備える。修正目標値ｔｘ(Ｎ＋１)算出部６０８は、生活習慣の目標の所定期間内の実行度合いに応じて、期間の生活習慣の目標値を修正するための修正関数を保持する修正関数保持部の一例であり、本実施の形態では、修正目標値ｔｘ(Ｎ＋１)算出部６０８には、生活習慣の項目の目標値に対する所定期間内の実行度合いに応じて、前記期間の生活習慣の項目の前記目標値を修正するための修正関数が保持されている。また、修正目標値ｔｘ(Ｎ＋１)算出部６０８および修正目標値 ｔｘ(Ｎ＋１)検証部６０９が、補正係数βを用いて補正された前記回答値を前記生活習慣の目標の実行度合いとし、前記修正関数により、前記期間の前記目標値を修正する目標値修正部の一例である。なお、ｘは目標値を設定する生活習慣に関する項目の番号を示し、Ｎは第一回から数えて何回目の期間かを示す自然数である。目標値入力部６０１は、所定期間に利用者が実行すべき生活習慣に関する努力目標が複数ある場合、複数の目標の目標値と、複数の目標のうちのいずれかの目標と最も関連のある生体情報についての目標値の入力を受け付ける目標値入力手段の一例である。本実施の形態では、目標値入力部６０１は、マウス、キーボードなどからなり、医療関係者や利用者自身がこれらを操作することによって目標値を入力する。目標値記録部６０２は、あらかじめ決定された生活習慣に関する努力目標の目標値を記録する目標値記録手段の一例であり、本実施の形態では目標値入力部６０１によって入力された目標値を、以下で説明するような形式に記録する。計測値入力部６０３は、利用者の生体情報の計測値の入力を受け付ける計測値入力手段の一例であり、本実施の形態では、例えば、外部に接続された血圧計、血糖値測定器、体重計などの生体情報計測機から直接計測値を入力できるＩＦ（インターフェイス）である。回答票入力部６０４は、生体情報と関連する生活習慣に関する努力目標の実行度合いの自己評価である利用者の回答値の入力を受け付ける回答入力手段の一例であり、本実施の形態では、利用者自身が記入した回答票であるマークシートを読み取るマークシート読取機または、利用者自身が操作するマウス、キーボードなどである。
【００１６】
達成係数α(Ｎ)算出部６０５は、回答値と、生体情報の計測値から求められる生体情報の目標の達成度合いとの乖離度合いに応じて、回答値を補正する回答補正手段の一部で生体情報の計測値と、生体情報の目標値とに基づいて生体情報の目標の達成度合いを示す達成係数αを算出する処理部の一例であり、本実施の形態では、予め定義された演算式に基づいて達成係数α(Ｎ) を算出する演算器である。補正係数β(Ｎ)算出部６０６は、算出された達成係数αから、回答値と生体情報の目標の達成度合いとの乖離度合いを示す補正係数βを算出する補正係数算出部の一例であり、本実施の形態では、予め定義された演算式に基づいて、補正係数β(Ｎ) を算出する演算器である。補正後実行度合いγｘ(Ｎ)算出部６０７は、所定期間終了時に入力された回答値を、算出された補正係数βを用いて補正する回答値補正部の一例であり、本実施の形態では、回答票の値および補正係数β(Ｎ)から、予め定義された演算式に基づいて、補正後実行度合いγｘ(Ｎ)を算出する演算器である。達成係数α(Ｎ)は、生体情報の目標値ｔ及び生体情報の計測値ｓから求められる生体情報の達成度合いαに相当する。補正係数β(Ｎ)は、生活習慣に関する項目ｘの目標に対する実行度合いについての回答値ｓｘと、生体情報の目標値ｔ及び生体情報の計測値ｓから求められる生体情報の達成度合いαとの乖離度合いに相当する。補正後実行度合いγｘ(Ｎ)は、補正後回答γｘに相当する。修正目標値ｔｘ(Ｎ＋１)算出部６０８は、修正目標値リスト記録部６１０に格納されている後述の修正生活習慣目標値リストから、ｔｘ(Ｎ)に基づきｔｘ(Ｎ＋１)を算出する。修正目標値 ｔｘ(Ｎ＋１)検証部６０９は、算出されたｔｘ(Ｎ＋１)が、各項目ｘに対して予め設定された範囲に収まるように制限する。即ち、ｔｘ(Ｎ＋１)が設定された範囲以上の場合は、設定された範囲の最大値に固定し、ｔｘ(Ｎ＋１)が設定された範囲以下の場合でも、設定された範囲の最小値に固定する。これは、目標値の更新を繰り返すうちに、目標値が健康に有害な影響を与えるほど偏った数値にならないようにするためである。目標値更新部６１１は、補正後の回答値と生活習慣に関する努力目標の修正度合いとの相関を示すデータを参照して、補正後の回答値を用いて、生活習慣に関する努力目標の目標値を修正して決定する目標値決定手段の一例であり、本実施の形態では、目標値記録部６０２の目標値ｔｘ(Ｎ)を目標値ｔｘ(Ｎ＋１)に更新する。
【００１７】
また、補正係数β（Ｎ）表示部６１２は、回答値と、生体情報の計測値から求められる生体情報の目標の達成度合いとの乖離度合い、または補正後の回答値を表示する表示手段の一例であり、本実施の形態では、ディスプレイで、算出された補正係数またはその補正係数が示している意味、すなわち、生活習慣改善の実行度合いに対する認識の程度を利用者に表示する。この表示によって、利用者は、自身の回答の傾向を自分でも確認することができる。これにより、普段の生活習慣をより客観的に認識せざるを得なくなり、今後の生活習慣病改善の意欲を向上させることができる。生活習慣の改善が難しい人の中には、自分自身の生活習慣上の課題を直視したがらない、言い換えると課題から目をそらそうとする人も多い。このような利用者に対して、補正係数を表示することで、自分自身の生活習慣の課題を認識せざるを得なくなるので、特に効果的である。
【００１８】
そして、健康管理支援装置６００は、(Ｎ＋１)回目の期間開始時に更新された目標値tx(Ｎ＋１)と、(Ｎ＋１)回目の期間終了時に再度計測された計測値、および入力された回答票に基づき、α(Ｎ＋１)、β(Ｎ＋１)、およびγｘ(Ｎ＋１)を算出し、(Ｎ＋１)回目の期間終了時には、これらから、次の期間の目標値ｔｘ(Ｎ+２)を算出することを繰り返す。
【００１９】
図３は、本実施の形態の健康管理支援システム７００のハードウェア構成を示すブロック図である。健康管理支援システム７００は、図２に示した健康管理支援装置６００と外部計測装置（生体情報計測機７０３）とからなる健康管理支援システムであって、健康管理支援装置６００は、マウス７０１、キーボード７０２、モニタ７０４、プリンタ７０５、インターフェイス７０６、ＣＰＵ（Central Processing Unit）７０７、メモリ７０８、およびハードディスクなどによって実現される目標値票格納部７０９と修正目標値リスト格納部７１０などを備える。利用者は目標値や回答票の回答内容をマウス７０１、キーボード７０２によってインターフェイス７０６を通じて入力する。生体情報の計測値は、健康管理支援装置６００外部に備えられる血圧計などの生体情報計測機７０３から直接、インターフェイス７０６を通じて入力される。また、目標値票や回答票は、モニタ７０４、プリンタ７０５などに表示、出力される。目標値票や修正生活習慣目標値リストはそれぞれ目標値票格納部７０９および修正目標値リスト格納部７１０に格納されている。インターフェイス７０６と、目標値票格納部７０９および修正目標値リスト格納部７１０、ＣＰＵ７０７とメモリ７０８は相互にバスで接続され、ＣＰＵ７０７は、目標値票格納部７０９および修正目標値リスト格納部７１０に格納されているｔｘ(Ｎ)、ｓｘ(Ｎ)に基づき、達成係数α(Ｎ)、補正係数β(Ｎ)、および補正後実行度合いγｘ(Ｎ)を算出する。そして、目標値票格納部７０９に格納されている目標値ｔｘ(Ｎ)をｔｘ(Ｎ＋１)で更新する。
【００２０】
図４を用いて本発明の健康管理支援装置を用いた健康管理のための生活習慣改善支援の概要を説明する。図４は、健康管理支援装置６００の概要的な処理の流れを示すフローチャートである。利用者は、まず、好ましくは医師等と相談して、個人の年齢、既往症、健康状態などに応じて、血圧やＨｂＡ１ｃ等の生体情報の改善の目標（生体情報目標値）を設定する（Ｓ１０１）。同時に、利用者個人の年齢、既往症、健康状態などに応じて、食事、運動などの生活習慣の目標値（目標値）を設定する（Ｓ１０４）。図５は、生活習慣目標値票の一例を示す図である。図６は、生体情報目標値及び計測値票の一例を示す図である。そして、それぞれに設定した値を記録するための図５の項目５に示した生活習慣目標値票、生体情報目標値及び計測値票を作成する（Ｓ１０２、Ｓ１０５）。作成された生活習慣目標値票と、生体情報目標値及び計測値票とは、少なくともこの期間終了まで目標値記録部６０２に格納される。図５で、目標値ｔｘ(Ｎ)は、項目ｘ（ｘは１〜６）に対するＮ回目の修正された目標値を示す（初めて目標値を設定する場合は、Ｎ＝０である）。図６で、生体情報目標値及び計測値票に記録される生体情報計測値ｓ(Ｎ)、達成係数α(Ｎ)のＮも同様の意味（Ｎ回目の修正された値）を示している。ただし、この段階では、生体情報計測値ｓ(Ｎ)、達成係数α(Ｎ)は入力されていない。
【００２１】
次に、利用者は、作成された生活習慣目標値票を参照しながら生活習慣の改善を目指す。その期間を例えば１ヶ月とし、１ヶ月経過後に、体重、血圧、血液中コレステロール、ＨｂＡ１ｃ等の生体情報を計測し（Ｓ１０３）、その計測値を生体情報目標値及び計測値票（図６）へ入力する。同時に、生活習慣目標値票に、過去１ヶ月の生活習慣を思い出しながら、生活習慣目標値に対してどの程度実行できたかを生活習慣回答票に入力する（Ｓ１０６）。図７は、生活習慣回答票の一例を示す図である。図７で、回答ｓｘ(Ｎ)は、項目ｘ（ｘは１〜６）に対すＮ回目に入力された実行度合いを示す指標である。例えば、項目１の食事に関する項目（目標値＝１日当たりの摂取エネルギーｔ１(Ｎ)キロカロリー以下）の場合、過去１ヶ月の内、１日当たりの摂取エネルギーｔ１(Ｎ)キロカロリー以下を実行できた日の割合を入力する。即ち、全ての日実行できた場合、１．０を入力し、半分の日数しか実行できなかった場合、０．５と入力し、１日も実行できなかった場合、０．０を入力する。
【００２２】
そして、健康管理支援装置６００は、生体情報計測値ｓ(Ｎ)と生体情報の目標値ｔから、関数α(Ｎ)＝Ｆ（ｔ、ｓ(Ｎ) ）を用いて、生体情報の達成度合いを示す達成係数α(Ｎ)を算出する。また、生活習慣回答票に入力された実行度合いの回答の内、この生体情報計測値ｓ(Ｎ）に関連する生活習慣の項目についての実行度合いｓｘ(Ｎ)と達成係数α(Ｎ)とから、補正係数β（Ｎ）＝Ｇｘ(ｓｘ(Ｎ),α(Ｎ))を用いて、生活習慣回答票に入力された実行度合いを補正するための補正係数β(Ｎ)を算出する。さらに、補正係数β(Ｎ)と生活習慣回答票に入力された実行度合いｓｘ(Ｎ)から、補正後回答γｘ(Ｎ)＝Ｈｘ（ｓｘ(Ｎ),β(Ｎ)）を用いて、補正後の実行度合いγｘ(Ｎ)を算出する。次に、補正後の実行度合いγｘ(Ｎ)から、修正生活習慣目標値リストに基づき、修正目標値 ｔｘ(Ｎ＋１)を算出することで、修正目標値を作成する（Ｓ１０７）。図８は、修正生活習慣目標値リストの一例を示す図である。同図に示すように、修正生活習慣目標値リストには、生活習慣に関する各項目について、補正後回答γｘ(Ｎ)の値に応じた係数を今回の期間の目標値ｔｘ(Ｎ)に乗算し、次回期間のための修正目標値ｔｘ(Ｎ＋１)を算出するための数式が示されている。
【００２３】
さらに、健康管理支援装置６００は、この修正目標値ｔｘ(Ｎ＋１)が、医学的見地から問題の無い目標値であるか否かを検証する（Ｓ１０８）。例えば、食事、運動、減塩の修正目標値を予め設定された範囲に収まるように制限する。例えば、一般的に最少の１日の摂取塩分量は、０．５ｇとされているので、修正生活習慣目標値リストより算出された１日の摂取塩分量が０．５ｇ以下の時は、０．５ｇとする。
【００２４】
次に、健康管理支援装置６００は、期間開始時に設定され、記録されていた目標値ｔｘ(Ｎ)を、新たな目標値ｔｘ(Ｎ＋１)に更新した生活習慣目標値票を作成し（Ｓ１０９）、再び利用者は、更新された生活習慣目標値票を参照しながら生活習慣の改善を目指す。これを繰り返すことにより、利用者の生活習慣が改善される。
【００２５】
このように、生活習慣の改善を開始してから例えば、１ヶ月を経過した後の利用者の記憶に頼った自己申告値であるｓｘ(Ｎ)を、客観的計測値であるｓ(Ｎ)から導かれた達成係数α(Ｎ)で補正することで、利用者の実行度合いの回答傾向の違いなどの性格の違いを補償でき、利用者の健康状態及び生活習慣実態に適合した、生活習慣目標値を設定できる。
【００２６】
以上のように構成された健康管理支援装置６００の動作について図９、図１０、図１２及び図１１を参照しながらより具体的に説明する。例えば、利用者が糖尿病である場合の健康管理支援の例を図１２、９を用いて示す。図９は、本実施の形態に係る健康管理支援装置６００のより詳細な動作を示すフローチャートである。図１０は、算出された補正係数βの値と、その値に応じてモニタで利用者に表示する文章との対応を示す表である。図１１（ａ）および（ｂ）は、主として摂取カロリーを制限する場合の生活習慣目標値票の一例を示す図である。図１２は、生体情報をＢＭＩ（Body Mass Index）としたときの生体情報目標値及び計測値票の一例を示す図である。ここでは、身長と体重から算出されるＢＭＩ：（体重（ｋｇ））／（身長（ｍ））２）を生体情報とする。まず、利用者の身長と体重を計測し、身長１．６５ｍ、体重７３ｋｇでＢＭＩ＝２６．８の場合、利用者はＢＭＩを下げることが望ましいので、図１２に示す様に、利用者の健康状態を考慮して１ヶ月後のＢＭＩを目標値ｔを２６に設定する。また、図１１に示す様に、ＢＭＩの目標値と、利用者の健康状態、生活習慣状況を考慮して、今後１ヶ月の生活習慣の６項目に対する目標値ｔｘ（０）（ｘは１〜６までの整数）を設定する。ここで、成人の場合、身長は１月程度では、変化がないので、体重のみを計測すれば良い。また、体重は、図１１の項目１である、食事に最も強く依存するので、生体情報である体重と項目１が関連する。従って、１ヶ月後にはＢＭＩが２６になるであろう目標値に食事のエネルギーを設定する。言い換えると、完全に達成すると（達成度＝１．０)、ＢＭＩが２６になるであろう目標値である。本実施の形態の場合、目標値を１４００キロカロリーに設定する。なお、この目標値は、利用者の年齢、体重、身長、基礎代謝量等の生体情報や運動量に基づき、例えば尿病療養指導二貢の秘訣（金原出版）Ｐ２０４〜２０５に掲載されている体重減少に成功した例を参考に、決定する。
【００２７】
利用者は、図１１（ｂ）に示した生活習慣目標値票を参照しながら、生活習慣に改善に努める。この時点では、生活習慣目標値票には項目番号と目標値が記入されているだけである。利用者は、１ヶ月後に、健康管理支援装置６００を起動し、再度体重を計測する。健康管理支援装置６００のＣＰＵ７０７は、生体情報の計測値の入力を生体情報計測機７０３に要求し（Ｓ８０１）、生体情報計測機７０３は計測された値を入力する（Ｓ８０２）。ここでは、ＢＭＩ＝２６．５になった。次に、達成係数α(Ｎ)すなわち、達成係数α(０)を算出する（Ｓ８０３）。ここでは、（数式５）α(０)＝Ｆ（ｔ、ｓ(０)）＝(ｔ／ｓ(０))ｋ、かつ、ｋ＝１５．０８の場合を示す。α(０)＝Ｆ（ｔ、ｓ(０)）＝（ｔ／ｓ(０)）１５．０８＝（２６／２６．５）１５．０８である。従って、α(０)＝０．７５０となる。
【００２８】
次に、健康管理支援装置６００は、回答票の入力を要求する（Ｓ８０４）。利用者は、過去１ヶ月の生活習慣を思い出してｓｘ(０）（ｘは１〜６までの整数）を入力する。本実施の形態では、例えば、利用者が過去１ヶ月間において、食事目標を達成できた日が２７日と認識していたとすると、ｓ１(０）＝０．９を入力する。また、利用者が過去１ヶ月間において、運動目標を達成できた日が２４日と認識していたとすると、ｓ１(０）＝０．８と回答する。同様に、他のｓｘ(０）も図１１の設問に従って回答する。健康管理支援装置６００は、回答票の全項目が入力されたか否かを確認し（Ｓ８０５）、そして、補正係数β(０)を算出する（Ｓ８０６）。ここで、補正係数β(０)は、生体情報ＢＭＩと項目１の食事が関連するので、α(０)とｓ１(０）から算出する。また、ここでは、（数式６）補正係数β(０)＝Ｇ（α、ｓｘ）＝（ｓｘ／α）l、かつ、ｌ＝１として算出する。すなわち、Ｇｘ(ｓｘ(０),α(０))＝ｓ１(０)／α(０)である。図１１（ａ）に示すように、入力されたｓ１(０）＝０．９に対して補正係数β(０)は、β(０)＝１．２０となる。そして、算出された補正係数β(０)を、モニタで利用者に表示する（Ｓ８１１）。ただし、補正係数βの数値そのものを表示しても、利用者にその数値の意味が理解できない可能性があるので、ここでは図１０に示すように、算出された補正係数βの値に応じて、利用者の生活習慣改善の実行度合いに対する認識の程度を、例えば、文章で表示するものとする。前述のように、ステップＳ８０６で算出された補正係数β(０)は、β(０)＝１．２０である。このように補正係数βの値が「１．１」を超えるような場合、補正係数β（Ｎ）表示部６１２は、図１０に示すように、まだ、利用者の生活習慣改善の実行度合いに対する認識が正確でないことを、利用者に分かりやすい言葉で表示する。
【００２９】
次に、補正後の実行度合いγｘ(０)を、ｓｘ(０)、β(０)を用いて算出する（Ｓ８０７）。ここでは、（数式７）Ｈｘ（ｓｘ、β）＝（ｓｘ／β）、かつ、γx(０)＝Ｈｘ（ｓｘ(０),β(０)）＝ｓｘ(０)／β(０)として算出する。例えば、摂取カロリーの補正後実行度合いは、γ１(０)＝ｓ１(０)／β(０)＝０．９／１．２０＝０．７５  となる。
【００３０】
さらに、算出されたγｘ(Ｎ)を修正生活習慣目標値リストと対比してｔｘ(Ｎ＋１)を算出する（Ｓ８０８）。すなわち、γｘ(０)から図８の修正生活習慣目標値リストを参照して、修正目標値ｔｘ(１)を算出する。ここでは、γ１(０)＝０．７５なので、修正目標値ｔ１(１)＝１．０×ｔ１(０)となる。
【００３１】
次いで、ｔｘ(Ｎ＋１）を検証する（Ｓ８０９）。すなわち、このようにして算出された修正目標値 ｔｘ(１)を修正目標値 ｔｘ(Ｎ＋１)検証部６０９により検証する。検証の結果、本実施の形態の場合は、γｘ(０)と図８の修正生活習慣目標値リストより算出した修正目標値ｔｘ(１)をそのまま来月の目標値にすることができた。これで、来月の生活習慣の目標値が決定でき、図１１（ｂ）がすべて記載される（Ｓ８１０）。そして、利用者は、この更新された目標値を目指し、後１ヶ月、生活習慣の改善に努めることができる。
【００３２】
上記のように、生体情報の目標値と計測値の違いを、（数式５）で達成係数α(０)として指数化する。本実施の形態の場合、図１２に示した達成係数α(０)＝０．７５０で、これは生体情報の計測値に基づいた客観的数値である。一方、この生体情報と関連する生活習慣の項目の回答内容であるｓ１(０）＝０．９は、利用者本人が認識した実行度合いを回答する主観的数値である。この客観的数値と主観的数値との偏差を（数式６）で補正係数β(０)として指数化する。この補正係数β(０)によって、Ｓ２(０)、Ｓ３(０)・・・Ｓ６(０)の主観的数値を補正することで、客観的数値に変換することができる。本例の場合、利用者は主観的には、２７日実行できた即ち０．９実行できたと認識しているが、実際は０．７５しか実行できていないので、利用者は、自身の実行度合いを高く認識する傾向があることがわかる。従って、この利用者は、他の生活習慣項目も同様に高く認識する傾向があることがわかる。そのため、この傾向を補正係数β(０)で補正し、補正後の実行度合いγｘ(０)を算出することで、利用者の回答傾向の偏りを補償する。そして、回答傾向の偏りが補償された補正後の実行度合いγｘ(０)に基づき次回の目標値を設定する。従って、利用者の性格等に影響されることなく利用者の実行度合いを把握することができ、利用者にとって、実行が可能な適切な目標値を設定することができる。これにより、利用者の実行意欲の向上が期待できる。
【００３３】
なお、指数係数ｋ、ｌ等は、生体情報の特性や、生活習慣の特性によって調整する。
【００３４】
以上の様に、本実施の形態の健康管理支援装置６００は、利用者の自身の実行度合いを認識の傾向を補償することで当該利用者に適合した生活習慣の目標値を設定でき、利用者の生活習慣の改善に効果的である。
【００３５】
本実施の形態では、補正係数ベータの値に関わらず、必ず補正係数βを表示する例を示したが、補正係数βが１から所定値以上乖離したときのみ、表示しても良い。これにより、実質的補正が必要であった時のみ、補正が必要であった事実を利用者へ認識してもらうことができる。また、必ずしも補正係数を表示せず、補正が必要であった事実のみを表示しても、効果がある。さらに、利用者が回答票の入力を完了した次のモニタの画面で、補正係数または／及び補正が必要であった事実を表示すると、利用者へ印象付けやすく、特に効果的である。さらに、上記実施の形態では、図９のステップＳ８１１で、生活習慣改善のための目標をどれだけ実行できたかについて利用者に正しく実行度合いを認識してもらうために補正係数βを表示する例を示したが、本発明はこれに限定されない。図１３は、利用者の回答と、算出された補正係数βに従って補正された補正後の回答とを、対比してモニタに表示する場合の一例を示す図である。同図では、生活習慣改善のための目標の実行度合いに対する利用者の認識の正確さを、文章で指摘するのではなく、例えば、利用者の回答の数値と、補正後の回答の数値とを、対照して表している。また、同図では、単に数値で比較するだけではなく、棒グラフを用いて、利用者の回答と補正後の回答との差を一目で把握できるように表示している。これにより、利用者は、自分ができたと思い込んでいた実行度合いと、実際の実行度合いとの間に相違があることを認識することができる。さらに、自分が思っていた実行度合いと実際の実行度合いとの間にどの程度のずれがあったのかまで知ることができるという効果がある。
【００３６】
＜他の例＞
また、以下では、本実施の形態を用いた、他の例について図１４、図１５及び図１６を用いて説明する。ここでは、例えば、高血圧症である利用者の健康管理を支援する例について説明し、主として、計測する生体情報を収縮期血圧とする。図１４は、本実施の形態による生体情報目標値及び計測値票の他の例を示す図である。図１５は、本実施の形態による生活習慣目標値票及び生活習慣回答票の他の例を示す図である。図１６は、生体情報を収縮期血圧とした場合の利用者の回答と、算出された補正係数βに従って補正された補正後の回答とを、対比してモニタに表示する場合の一例を示す図である。
【００３７】
利用者は、まず、収縮期血圧を計測する。計測された収縮期血圧は、１４０ｍｍＨｇであり、利用者にとっては血圧を下げることが望ましい。このため、利用者は医師等と相談し、図１４に示す様に、利用者の健康状態を考慮して１ヶ月後の収縮期血圧の目標値ｔを、利用者にとって実現可能な１３０ｍｍＨｇに設定する。また、図１５に示す様に、血圧の目標値と、利用者の健康状態、生活習慣状況を考慮して、今後１ヶ月の生活習慣の６項目に対する目標値ｔｘ（０）（ｘは１〜６までの整数）を設定する。ここで、血圧は、図１５の項目３に示されている、摂取塩分量に最も強く依存する。従って、生体情報である血圧と項目３が関連する。従って、１ヶ月後に収縮期血圧が１３０ｍｍＨｇになるであろう目標値に減塩目標値を設定する。言い換えると、完全に達成すると（達成度＝１．０)、１ヶ月後には収縮期血圧が１３０ｍｍＨｇになるであろう目標値である。本実施の形態の場合、目標値を６ｇに設定している。なお、この目標値は、例えば高血圧ナビゲーター（メディカルレビュー社、Ｐ１６〜１７、Ｐ１１６〜１１７）に掲載されているような、利用者の血圧の塩分感受性に基づき決定する。
【００３８】
利用者は、前述の例と同様に、図１５を参照しながら、生活習慣の改善に努める。１ヶ月後に、再度血圧を計測すると、１３５ｍｍＨｇになった。次に、達成係数α(０)を算出する。本実施の形態では、（数式５）達成係数α(０)＝Ｆ（ｔ、ｓ(０)）＝(ｔ／ｓ(０))ｋ、かつ、ｋ＝８.６８の場合を示す。この場合、Ｆ（ｔ、ｓ(０)）＝(ｔ ／ｓ(０))８．６８である。従って、α(０)＝０．７２１となる。また、利用者は、過去１ヶ月の生活習慣を思い出して回答ｓｘ(０）（ｘは１〜６までの整数）を入力する。この例では、利用者は、項目１について、過去１ヶ月間の１日当たりの食事の摂取カロリーの平均値を、平均値（Ｓ）＝２０００ｋｃａlと記憶していたので、摂取カロリーの平均値Ｓに対する摂取カロリーの目標値（Ｔ）＝２０００ｋｃａｌの割合（Ｔ／Ｓ）＝１.０をｓ１(０）として回答した。また、過去１ヶ月間の１日当たりの運動時間の平均値（Ｓ）＝１６分と認識していたので、運動時間の目標値（Ｔ）＝２０分に対するＳの割合（Ｓ／Ｔ）＝０．８をｓ２(０）として回答した。同様に、他のｓｘ(０）も図１５の設問に従って回答したとする。
【００３９】
そして、補正係数β(Ｎ)算出部６０６は、補正係数β(０)を算出する。ここで、生体情報である血圧と項目３の摂取塩分量が関連するので、α(０)とｓ３(０）から補正係数β(０)を算出する。また、ここでは、（数式６）Ｇ（α、ｓｘ）＝（ｓｘ／α）ｌ、かつ、ｌ＝１の場合を示し、補正係数β(０)＝Ｇｘ(ｓｘ(０),α(０))＝ｓ３(０)／α(０)である。これにより、補正係数β(０)＝１．１１となる。
【００４０】
次に、健康管理支援装置は、補正後の実行度合いγｘ(０)をｓｘ(０)、β(０)を用いて算出する。本実施の形態では、（数式７）Ｈｘ（ｓｘ、β）＝（ｓｘ／β）  の場合を示し、γｘ(０)＝Ｈｘ（ｓｘ(０),β(０)） ＝ｓｘ(０)／β(０)である。この場合、γ３(０)＝ｓ３(０）／β(０)によりγ３(０)を算出する。算出されたγ３(０)＝０．７２と図８の修正生活習慣目標値リストより、修正目標値ｔｘ(１)を産出した。ここで、修正目標値ｔｘ(１)を検証する。これで、来月の生活習慣の目標値が決定でき、図１５がすべて記載される。そして、利用者は、この更新された、目標値を目指し再度生活習慣の改善に努めることができる。
【００４１】
本実施の形態の場合、α(０)＝０．７２１で、これは計測値に基づいた客観的数値である。一方、この生体情報と関連する生活習慣の項目の回答内容であるｓ３(０）＝０．８は、利用者本人が認識した実行度合いを回答する主観的数値である。この客観的数値と主観的数値との偏差を（数式６）で補正係数β(０)として指数化する。この補正係数β(０)によって、ｓ２（０）、ｓ３（０）、・・・、ｓ６（０）の主観的数値を補正することで、客観的数値に変換する。本実施の形態の場合、主観的には、０．８実行できたと認識しているが、実際は０．７２１しか実行できていないので、利用者も、前述の例の利用者ほどでは無いにしろ、自身の実行度合いを高く認識する傾向があるので、他の生活習慣項目も同様に高く認識する傾向があるといえる。この傾向をもって利用者から得られる回答を、補正係数β(０)で補正し、補正後の実行度合いγｘ(０)を算出することで、利用者の回答傾向の偏りを補償する。そして、回答傾向の偏りを補償した補正後の実行度合いγｘ(０)に基づいた次回の目標値を設定する。これにより、利用者にとって、実行が可能な目標値を設定でき、より実行意欲が向上する。これと併せて、図１６に示すように、利用者の回答と補正後の回答とを対比して表示することによって、利用者は回答傾向の偏りを自ら認識することができるようになり、他の生活習慣項目に対しても、より客観的に回答を行なうことができるようになるという効果がある。
【００４２】
以上の様に、利用者の自身の実行度合いの認識の傾向を補償することで、当該利用者に適合した生活習慣の目標値を設定でき効果的である。
【００４３】
なお、上記実施の形態では、生体情報としてＢＭＩや血圧の場合を説明したが、生体情報としてＨｂＡ１ｃ（過去１〜２ヶ月の血糖値の平均を示す指標）、生活習慣の項目として摂取する糖分量を用いても良い。また、生体情報として血液中の総コレステロール濃度、生活習慣の項目として摂取する脂質量などを用いても良い。
【００４４】
なお、上記本実施の形態をより簡易に行なう場合には、例えば、生活習慣に関する項目に最も関連のある生体情報目標値ｔ(Ｎ)と、生体情報計測値ｓ(Ｎ)とから達成係数α(Ｎ)を算出し、算出された達成係数α(Ｎ)から直接、生活習慣目標値リストを参照し、修正目標値ｔｘ(Ｎ＋１)を算出するとしてもよい。図１７は、達成係数α(Ｎ)から直接、生活習慣目標値リストを参照し、修正目標値ｔｘ(Ｎ＋１)を算出する場合の手順を示すフローチャートである。同図に示すように、算出された達成係数α(Ｎ)から直接、生活習慣目標値リストを参照し、修正目標値ｔｘ(Ｎ＋１)を算出する場合には、利用者に対する修正目標値ｔｘ(Ｎ＋１)の適正度は低減されると考えられるが、図９と図１７とを比較しても明らかなように、健康管理支援装置の処理量を大幅に低減することができるという効果がある。
【００４５】
なお、上記実施の形態では、達成係数α(Ｎ)に基づいて回答値が示す実行度合いを補正したが、これに限らず、達成係数α(Ｎ)から、次回の生体情報の計測値の目標値を補正するとしてもよい。そして、次回の生活習慣の改善期間終了時の計測値が、この補正された目標値となるように、生活習慣に関する項目の目標値を決定するとしてもよい。
【産業上の利用可能性】
【００４６】
本発明にかかる健康管理支援装置は、健康管理が必要な利用者の生体情報の計測値により、利用者の生活習慣に関する回答内容を補正し、生活習慣に対する目標値を修正する健康管理支援装置に応用できる。具体的には、本発明の健康管理支援装置は、病院の医師等と通信網などにより通信可能な家庭のパーソナルコンピュータ、ＰＤＡ、カーナビゲーション装置および携帯電話機などとして有用である。
【００４７】
本発明に係る計測装置は、病院などと通信網により接続される家庭のトイレ装置、血圧計、体重計などの計測機またはベッドなどの住設機器として、また、公共施設等に備えられるトイレ装置などの衛生機器として有用である。
【図面の簡単な説明】
【００４８】
【図１】図１は、特許文献１ に記載された従来の健康管理支援装置の一部を示す図である。
【図２】図２は、本発明の実施の形態の健康管理支援装置の構成を示す図である。
【図３】図３は、本実施の形態の健康管理支援システムのハードウェア構成を示すブロック図である。
【図４】図４は、健康管理支援装置の概要的な処理の流れを示すフローチャートである。
【図５】図５は、生活習慣目標値票の一例を示す図である。
【図６】図６は、生体情報目標値及び計測値票の一例を示す図である。
【図７】図７は、生活習慣回答票の一例を示す図である。
【図８】図８は、修正生活習慣目標値リストの一例を示す図である。
【図９】図９は、本実施の形態に係る健康管理支援装置のより詳細な動作を示すフローチャートである。
【図１０】図１０は、算出された補正係数βの値と、その値に応じてモニタで利用者に表示する文章との対応を示すテーブルである。
【図１１】図１１（ａ）および（ｂ）は、主として摂取カロリーを制限する場合の生活習慣目標値票の一例を示す図である。
【図１２】図１２は、生体情報をＢＭＩとしたときの生体情報目標値及び計測値票の一例を示す図である。
【図１３】図１３は、利用者の回答と、算出された補正係数βに従って補正された補正後の回答とを、対比してモニタに表示する場合の一例を示す図である。
【図１４】図１４は、本実施の形態による生体情報目標値及び計測値票の他の例を示す図である。
【図１５】図１５（ａ）および（ｂ）は、本実施の形態による生活習慣目標値票及び生活習慣回答票の他の例を示す図である。
【図１６】図１６は、生体情報を収縮期血圧とした場合の利用者の回答と、算出された補正係数βに従って補正された補正後の回答とを、対比してモニタに表示する場合の一例を示す図である。
【図１７】図１７は、達成係数α(Ｎ)から直接、生活習慣目標値リストを参照し、修正目標値ｔｘ(Ｎ＋１)を算出する場合の手順を示すフローチャートである。
【符号の説明】
【００４９】
６００  健康管理支援装置
６０１  目標値入力部
６０２  目標値記録部
６０３  計測値入力部
６０４  回答票入力部
６０５  達成係数α(Ｎ)算出部
６０６  補正係数β(Ｎ)算出部
６０７  補正後実行度合いγｘ(Ｎ)算出部
６０８  修正目標値ｔｘ(Ｎ＋１)算出部
６０９  修正目標値 ｔｘ(Ｎ＋１)検証部
６１０  修正目標値リスト記録部
６１１  目標値更新部
【図１】
0004339889.tif 000002
【図２】
0004339889.tif 000003
【図３】
0004339889.tif 000004
【図４】
0004339889.tif 000005
【図５】
0004339889.tif 000006
【図６】
0004339889.tif 000007
【図７】
0004339889.tif 000008
【図８】
0004339889.tif 000009
【図９】
0004339889.tif 000010
【図１０】
0004339889.tif 000011
【図１１】
0004339889.tif 000012
【図１２】
0004339889.tif 000013
【図１３】
0004339889.tif 000014
【図１４】
0004339889.tif 000015
【図１５】
0004339889.tif 000016
【図１６】
0004339889.tif 000017
【図１７】
0004339889.tif 000018